(57)【要約】【課題】フィット感に優れる股部を形成できる筒状編地の編成方法を提供する。【解決手段】横編機を用いて、針床ＦＢ，ＢＢ上で隣接する第一筒部１と第二筒部２とを編幅方向に連結する筒状編地の編成方法であって、第一筒部１と第二筒部２とが互いに独立して針床ＦＢ，ＢＢに係止されている状態に対して、前記状態よりも筒径を小さくした第一筒部１と第二筒部２とをそれぞれ少なくとも１コース編成し、第一筒部１と第二筒部２との隣接箇所に段差領域３を形成する工程Ａと、第一筒部１の一部と、段差領域３と、第二筒部２の一部とにわたってコース方向に連続する編成を行い、その編成の際に段差領域では段差領域３の全域にわたってゴム編みを行う工程Ｂと、第一筒部１と第二筒部２とを一つにした一体筒部４を編成する工程Ｃと、を備える。【選択図】図２
2020002487.tif 000002
【特許請求の範囲】
【請求項１】
互いに対向する少なくとも一組の針床、及びこれらの針床に編糸を給糸するヤーンフィーダーを有する横編機を用いて、前記針床上で隣接する第一筒部と第二筒部とを編幅方向に連結する筒状編地の編成方法において、
前記第一筒部と前記第二筒部とが互いに独立して前記針床に係止されている状態に対して、前記状態よりも筒径を小さくした前記第一筒部と前記第二筒部とをそれぞれ少なくとも１コース編成し、前記第一筒部と前記第二筒部との隣接箇所に段差領域を形成する工程Ａと、
前記第一筒部の一部と、前記段差領域と、前記第二筒部の一部とにわたってコース方向に連続する編成を行い、その編成の際に前記段差領域では前記段差領域の全域にわたってゴム編みを行う工程Ｂと、
前記第一筒部と前記第二筒部とを一つにした一体筒部を編成する工程Ｃと、を備える筒状編地の編成方法。
【請求項２】
前記工程Ｂの後で前記工程Ｃを行う前に、前記段差領域で少なくとも１回の袋編みを行う工程Ｄを備える請求項１に記載の筒状編地の編成方法。
【請求項３】
前記工程Ｄにおいて、徐々に筒径を小さくする複数回の袋編みを行う請求項２に記載の筒状編地の編成方法。
【請求項４】
前記工程Ｄにおいて、前記段差領域よりも編幅が小さい袋編みを複数回行い、各袋編みの編幅方向の位置を徐々に変える請求項２に記載の筒状編地の編成方法。
【請求項５】
前記工程Ｂの後で前記工程Ｃを行う前に、前記段差領域で、前後の編針に交互に編目を形成する編目列編成を２回以上行う工程Ｅを備え、
各編目列編成における編幅方向の編目の形成位置は互いに異なる請求項１に記載の筒状編地の編成方法。
【発明の詳細な説明】
【技術分野】
【０００１】
本発明は、第一筒部と第二筒部とを編幅方向に連結する筒状編地の編成方法に関する。
【背景技術】
【０００２】
横編機を用いて、針床上で隣接する第一筒部と第二筒部とを連結する際、両筒部の繋ぎ目となる股部で、第一筒部の周方向に並ぶ複数の編目と、第二筒部の周方向に並ぶ複数の編目とを重ねて接合する股重ねを行うことがある。このような股重ねを行うには、編針に係止される編目を別の編針に移動させて編目同士を重ねたり、編目を移動させる機構が無い手袋編機などでは編目を編針に係止させた状態を維持する編目抑止杆（ｓｔｉｔｃｈ  ｈｏｌｄｅｒ）を利用したりする必要がある。
【０００３】
特許文献１には、手袋編機を用いて、隣接する手袋の指袋を連結して股部（指股部）を形成する方法が開示されている。この特許文献１では、小指（第一筒部）と三本胴（第二筒部）とを編幅方向に並列させた状態で編成し、第一筒部と第二筒部との隣接箇所をゴム編みで繋いでから、四本胴（一体筒部）の編成を開始している。この編成によれば、隣接する第一筒部と第二筒部の編目同士を重ねることなく両筒部を連結することができる。つまり、編目抑止杆の使用を省略することができ、編目抑止杆の作用による編糸の損傷や、編目抑止杆によって誘発される編成不良を抑制できるといったメリットがある。
【先行技術文献】
【特許文献】
【０００４】
【特許文献１】特許第４０４９６７３号公報
【発明の概要】
【発明が解決しようとする課題】
【０００５】
特許文献１の編成方法では、股部に厚く出っ張ったような部分ができ易い。特に太い編糸を用いて第一筒部と第二筒部とを連結すると、股部の出っ張りが厚くなり、手袋を着用した際の股部のフィット感が損なわれる場合もある。また、厚く出っ張った部分の近傍に孔が空き易いという問題もある。
【０００６】
上記事情に鑑み、本発明の目的の一つは、着用時のフィット感に優れる股部を形成できる筒状編地の編成方法を提供することにある。
【課題を解決するための手段】
【０００７】
本発明の筒状編地の編成方法は、
互いに対向する少なくとも一組の針床、及びこれらの針床に編糸を給糸するヤーンフィーダーを有する横編機を用いて、前記針床上で隣接する第一筒部と第二筒部とを編幅方向に連結する筒状編地の編成方法において、
前記第一筒部と前記第二筒部とが互いに独立して前記針床に係止されている状態に対して、前記状態よりも筒径を小さくした前記第一筒部と前記第二筒部とをそれぞれ少なくとも１コース編成し、前記第一筒部と前記第二筒部との隣接箇所に段差領域を形成する工程Ａと、
前記第一筒部の一部と、前記段差領域と、前記第二筒部の一部とにわたってコース方向に連続する編成を行い、その編成の際に前記段差領域では前記段差領域の全域にわたってゴム編みを行う工程Ｂと、
前記第一筒部と前記第二筒部とを一つにした一体筒部を編成する工程Ｃと、を備える。
【０００８】
本発明の筒状編地の編成方法の一形態として、
前記工程Ｂの後で前記工程Ｃを行う前に、前記段差領域で少なくとも１回の袋編みを行う工程Ｄを備える形態を挙げることができる。
【０００９】
工程Ｄを備える本発明の筒状編地の編成方法の一形態として、
前記工程Ｄにおいて、徐々に筒径を小さくする複数回の袋編みを行う形態を挙げることができる。
【００１０】
工程Ｄを備える本発明の筒状編地の編成方法の一形態として、
前記工程Ｄにおいて、前記段差領域よりも編幅が小さい袋編みを複数回行い、各袋編みの編幅方向の位置を徐々に変える形態を挙げることができる。
【００１１】
本発明の筒状編地の編成方法の一形態として、
前記工程Ｂの後で前記工程Ｃを行う前に、前記段差領域で、前後の編針に交互に編目を形成する編目列編成を２回以上行う工程Ｅを備え、
各編目列編成における編幅方向の編目の形成位置は互いに異なる形態を挙げることができる。
【発明の効果】
【００１２】
本発明の筒状編地の編成方法によれば、股部に厚く出っ張ったような部分が形成され難いので、股部が着用者にフィットし、着け心地に優れる筒状編地を編成できる。股部に出っ張りができ難いのは、第一筒部と第二筒部を連結する前の工程Ａで第一筒部と第二筒部の筒径を小さくして、両筒部の間に敢えて段差を形成し、工程Ｂでその段差を埋めるようにゴム編みを行って両筒部を連結しているからである。
【００１３】
本発明の筒状編地の編成方法において、工程Ｂの後に工程Ｄ又は工程Ｅを行うことで、股部に孔が空き難く、股部の見栄えを良くすることができる。また、股部に孔が空き難いことで、筒状編地をコーティング剤でコーティングする際、コーティング剤が股部の位置から筒状編地の内部に過剰に浸透することを抑制できる。
【図面の簡単な説明】
【００１４】
【図１】実施形態に係る手袋（筒状編地）の概略構成図である。
【図２】実施形態１の筒状編地の編成方法に係る編成工程図である。
【図３】実施形態２−１の筒状編地の編成方法に係る編成工程図である。
【図４】実施形態２−２の筒状編地の編成方法に係る編成工程図である。
【図５】実施形態２−３の筒状編地の編成方法に係る編成工程図である。
【図６】（Ａ）は実施形態２−１の手袋の指股部、（Ｂ）は実施形態２−２の手袋の指股部、（Ｃ）は実施形態２−３の手袋の指股部の写真を示す図である。
【図７】従来の手袋の指股部の写真を示す図である。
【発明を実施するための形態】
【００１５】
以下、本発明の筒状編地の編成方法の実施形態を図面に基づいて説明する。
【００１６】
＜実施形態１＞
本実施形態では、手袋(筒状編地)１０を編成する場合を例にして本発明の筒状編地の編成方法を説明する。手袋１０の編成に使用する横編機は、対向する前針床（以下、ＦＢ）及び後針床（以下、ＢＢ）と、ＦＢ，ＢＢの編針に編糸を給糸する複数のヤーンフィーダーとを備える手袋編機である。この手袋編機では、選針ドラムによって編針の選針が行われ、編針間で編目の移動を行うことはできない。この手袋編機には、股重ねを行うための複数の編目抑止杆が備わっている。
【００１７】
図１の手袋１０は、人指し指、中指、薬指、小指、及び親指にそれぞれ対応した指袋１１，１２，１３，１４，１５を備え、紙面下側の指先側から紙面上側の手の挿入口に向って編成される。より具体的には、別個に編成した指袋１１，１２，１３を編成し、これらを連結した三本胴１６を編成する。その三本胴１６と、三本胴１６とは別に編成した指袋１４とを連結し、四本胴１７を編成する。その四本胴１７と、四本胴１７とは別に編成した指袋１５とを連結し、五本胴１８を編成する。最後に、五本胴１８の終端部にリブ組織などを編成して、手袋１０を完成させる。本例では、指袋１１と指袋１２との連結、指袋１２と指袋１３との連結、及び三本胴１６と指袋１４との連結には編目抑止杆を用いた股重ねを行う。これに対して、四本胴１７と指袋１５との連結には、本発明に係る筒状編地の編成方法を利用する。もちろん、四本胴１７と指袋１５との連結以外の連結に本発明に係る筒状編地の編成方法を適用することもできる。また、本例とは異なり、人差し指に対応した指袋１１と中指に対応した指袋１２とを編成した後、両指袋１１，１２を連結した二本胴を形成し、薬指に対応した指袋１３をその二本胴に連結して三本胴１６を形成することもできる。そうすることで、手袋１０の指股の位置が、より一層、手の指股の位置に対応した位置になるので、手袋１０のフィット性を向上させることができる。
【００１８】
図２は、指袋１５と四本胴１７とを連結する手順を示す編成工程図である。図２の黒点はＦＢ，ＢＢの編針を示し、Ｓ＋数字は編成工程の番号を示す。各工程で実際に編成が行われる部分は太線で示す。
【００１９】
図２のＳ０には、ＦＢとＢＢとに指袋１５と四本胴１７とが係止された状態が示されている。指袋１５と四本胴１７とはそれぞれ別々のヤーンフィーダーからの編糸で編成され、両者１５，１７は編幅方向に隣接してＦＢ，ＢＢに係止されている。ＦＢの編針とＢＢの編針とは、ＦＢ，ＢＢの長さ方向に０．５ピッチずれており、指袋１５と四本胴１７との間には２本の空針が設けられている。指袋１５と四本胴１７との間の空針の数は、１〜３針程度とすることが好ましい。もちろん、指袋１５と四本胴１７との間に空針が無い状態としても構わない。以下、指袋１５を第一筒部１と規定し、四本胴１７を第二筒部２と規定し、説明を行う。
【００２０】
Ｓ１では、第一筒部１と第二筒部２とが互いに独立して針床ＦＢ，ＢＢに係止されている状態（Ｓ０）に対して、前記状態よりも筒径を小さくした第一筒部１と第二筒部２とをそれぞれ少なくとも１コース編成し、第一筒部１と第二筒部２との隣接箇所に段差領域３を形成する（工程Ａ相当）。本例では、工程Ａを行う直前の状態（Ｓ０）に対して、第一筒部１（第二筒部２）における第二筒部２（第一筒部１）側の端部よりも２目内側の位置で折り返す筒状編成によって、Ｓ０の第一筒部１（第二筒部２）よりも筒径が小さい、即ち周長が短い第一筒部１（第二筒部２）を編成する。ここで、第一筒部１（第二筒部２）の内側とは、ＦＢ，ＢＢ上で隣り合う筒部１，２の端部において、一方の筒部１（２）の端部が他方の筒部２（１）から離れる方向である。その結果、Ｓ０の時点よりも編幅方向に２目分筒径が小さい第一筒部１と第二筒部２とが編成される。また、Ｓ１で新たな編目を編成しなかった部分は、Ｓ１で編成した筒部１，２に対してウエール方向に１目分の段差が形成される。この段差ができた部分と、両筒部１，２の間にある空針とを含めた領域が段差領域３となる。
【００２１】
ここで、本例の場合、第一筒部１と第二筒部２のコース数は１コースとすることが好ましいが、第一筒部１と第二筒部２を２コース以上編成しても良い。その場合、コース数に応じたウエール方向の段差が形成される。Ｓ１で編成する第一筒部１のコース数と第二筒部２のコース数とを異ならせることもできる。後述する実施形態２に示すように、段差領域３に追加の編成を行う場合、両筒部１，２のコース数を２コース以上とすることができる。
【００２２】
Ｓ２では、第一筒部１の一部と、段差領域３と、第二筒部２の一部とにわたってコース方向に連続する編成を行い、その編成の際に段差領域３では段差領域３の全域にわたってゴム編みを行う（工程Ｂ相当）。本例では、第一筒部１の編成に使用したヤーンフィーダーを紙面右方向に移動させ、ＢＢに係止される第一筒部１のウエール方向に続けて新たな編目を形成し、段差領域３でゴム編みを行った後、ＢＢに係止される第二筒部２のウエール方向に続けて新たな編目を形成する。ゴム編みとは、ＦＢの編針とＢＢの編針とに交互に編目を形成する編成のことである。空針に形成される編目（Ｖ字で示される編目）は、編針に編糸を引っ掛けた掛け目である。本例とは異なり、Ｓ１で第二筒部２を編成したヤーンフィーダーを用いてＳ２を実施することもできる。
【００２３】
Ｓ３では、指袋１５と四本胴１７とを一体化した五本胴１８（一体筒部４）を編成する（工程Ｃ相当）。具体的には、Ｓ２で使用したヤーンフィーダーを左方向に移動させ、ＦＢに係止される第二筒部２、段差領域３及び第一筒部１の各編目のウエール方向に続く編目を編成し、そのヤーンフィーダーを右方向に移動させ、ＢＢに係止される第一筒部１、段差領域３及び第二筒部２の各編目のウエール方向に続く編目を編成する筒状編成を行う。
【００２４】
以上説明した筒状編地の編成方法では、指袋１５と四本胴１７とを連結する前のＳ１（工程Ａ）で指袋１５と四本胴１７の筒径を小さくして、両者１５，１７の間に敢えて段差を形成し、Ｓ２（工程Ｂ）でその段差を埋めるようにゴム編みを行って両者１５，１７を連結している。そのため、指袋１５と四本胴１７との間の指股部に厚く出っ張ったような部分が形成され難い。その結果、指股部が着用者の手にフィットし、着け心地に優れる手袋１０となる。また、本例の編成方法は編目抑止杆を使用することなく実施できるので、編糸に対する負荷を低減できる。
【００２５】
＜実施形態２＞
実施形態２では、実施形態１の編成に加えて段差領域３に追加の編成を行い、股部の近傍に孔が空き難くする筒状編地の編成方法を説明する。より具体的には、実施形態１の工程Ａ，Ｂ（図２のＳ１，Ｓ２）を行った後、追加編成を行ってから、実施形態１の工程Ｃを行う。本実施形態２では、追加編成として３つ編成を例示する。
【００２６】
≪実施形態２−１≫
第一の追加編成の手順を図３に示す。図３（後述する図４，５も同様）の見方は図２と同じである。本例では、工程Ｂ（図２のＳ２）の後で工程Ｃ（図２のＳ３）を行う前に、段差領域３で少なくとも１回の袋編みを行う（工程Ｄ相当）。袋編みの回数は、編糸の太さなどに応じて適宜選択することができる。
【００２７】
Ｓ２１では、ＦＢに係止される第二筒部２のウエール方向に続く編目を編成し、更に段差領域３の全域にわたる袋編みを行う。袋編みとは、所定の領域内で筒状に編成を行うことである。Ｓ２２では、Ｓ２１よりも筒径を小さくした袋編みを行う。Ｓ２３では更にＳ２２よりも筒径を小さくした袋編みを行った後、ＢＢに係止される第二筒部２の編目のウエール方向に続く編目を編成する。本例では、段差領域３の両端部で編目を形成しないことで、袋編みの筒径を小さくしている、即ち各工程の袋編みの編幅方向の中間位置を、Ｓ２１〜Ｓ２３で同じとしている。つまり、各袋編みの編成範囲を、段差領域３の編幅方向の中央に向って徐々に狭めている。これに対して、各工程の袋編みの編幅方向の中間位置を、第一筒部１側又は第二筒部２側に移動させながら袋編みの筒径を小さくしても良い。つまり、各袋編みの形成範囲を徐々に段差領域３の編幅方向の端寄りの位置にしても良い。
【００２８】
筒径を徐々に小さくする袋編みを複数回行うことで、ゴム編みされた部分（図２のＳ２に示す部分）の編目が適度に固定され、当該部分の編糸が過剰に引っ張られたりしても編目が歪むことがなく、指股部に孔が空き難くなる。
【００２９】
実施形態２−１の別の形態として、Ｎ（自然数）番目の袋編みの筒径を、Ｎ−１番目の袋編みの筒径と同じにすることもできる。例えば、Ｓ２１とＳ２２の袋編みの筒径を同じとし、Ｓ２３を行うことが挙げられる。その他、徐々に筒径を大きくする複数回の袋編みを行うこともできる。更には、徐々に筒径を大きくした後、筒径を小さくする、あるいは徐々に筒径を小さくした後、筒径を大きくする複数回の袋編みを行うこともできる。
【００３０】
≪実施形態２−２≫
第二の追加編成の手順を図４に示す。本例では、工程Ｄの別の手順として、前記段差領域よりも編幅が小さい袋編みを複数回行い、各袋編みの編幅方向の位置を徐々に変える。
【００３１】
Ｓ３１では、段差領域３における第二筒部２側の２目分の幅の領域に対して袋編みを行う。続くＳ３２では、袋編みの形成位置を第一筒部１側に１目分ずらして同様の袋編みを行う。Ｓ３１の袋編みの形成領域とＳ３２の袋編みの形成領域とは一部重複している。ここで、Ｓ３１の袋編みの形成領域と、Ｓ３２の袋編みの形成領域とが重複していなくても良いが、その場合、両袋編みの形成領域が隣接するようにし、両袋編みの形成領域の間に、袋編みされていない領域が形成されないようにする。
【００３２】
Ｓ３２以降は、１目分ずつ袋編みの形成位置を異ならせることを繰り返す。Ｓ３３では、最後の袋編みを行った状態が示されている。本例では、段差領域３と第一筒部１とに跨がるように袋編みを行っている。Ｓ３４では、ヤーンフィーダーを左方向に移動させ、ＦＢに係止される第一筒部１のウエール方向に続く編目を編成する。Ｓ３４の後は、図２のＳ３に示すような一体筒部４の編成を行う。
【００３３】
本例の追加編成によっても、ゴム編みされた部分（図２のＳ２に示す部分）の編目が適度に固定され、指股部に孔が空き難くなる。
【００３４】
≪実施形態２−３≫
第三の追加編成の手順を図５に示す。本例では、工程Ｂ（図２のＳ２）の後で工程Ｃ（図２のＳ３）を行う前に、段差領域３で、編幅方向の編目の形成位置が互いに異なる少なくとも２種類の編目列編成を行う（工程Ｅ相当）。
【００３５】
Ｓ４１では、一旦、ＦＢ，ＢＢに係止される全ての編目のウエール方向に続けて筒状編成を行う。これは、掛け目を編目に置き換えることで、後工程の編成を安定させるために行っている。このＳ４１は行わなくても良い。
【００３６】
Ｓ４２では、ヤーンフィーダーを左方向に移動させ、ＦＢに係止される第二筒部２のウエール方向に続く編目を編成し、段差領域３におけるＦＢの一つ置きの編目とＢＢの一つ置きの編目のウエール方向に続けて編目を形成する編目列編成を行う。Ｓ４２では更に、ＦＢに係止される第一筒部１のウエール方向に続く編目を編成する。
【００３７】
Ｓ４３では、ヤーンフィーダーを右方向に移動させ、ＢＢに係止される第一筒部１のウエール方向に続く編目を編成し、段差領域３で編目列編成を行った後、ＢＢに係止される第二筒部２のウエール方向に続く編目を編成する。Ｓ４２の編目列編成では、Ｓ４２の編目列編成で編目を形成しなかった位置に編目を編成する。ここで、本例では、段差領域３に対して２コースの編目列編成を行ったが、３コース以上の編目列編成を行っても良い。その場合でも、段差領域３の全ての編目のウエール方向に、いずれかの編目列編成の編目が連続し、かつ各編目列編成の編目の形成位置が、他の編目列編成の編目の形成位置に重複しないようにする。例えば、ＦＢとＢＢの二つ置き（三つ置き）の編目のウエール方向に続けて編目を形成する３つ（４つ）の編目列編成を行うことが挙げられる。
【００３８】
本例の追加編成によっても、ゴム編みされた部分（図２のＳ２に示す部分）の編目が適度に固定され、指股部に孔が空き難くなる。
【００３９】
以上説明した実施形態２−１，２−２，２−３の追加編成を行って編成した手袋の指股部の拡大写真をそれぞれ、図６（Ａ）,（Ｂ），（Ｃ）に示す。また、比較として、特許文献１と同様の編成方法を用いて編成した手袋の指股部の拡大写真を図７に示す。これらの写真では、紙面上側が手の甲側、紙面下側が手の平側で、紙面左側で下向きに延びる部分が親指に対応した指袋１５、紙面右側で右向きに延びる部分が四本胴１７の人指し指側の部分である。
【００４０】
図６に示すように、追加編成を行って編成した手袋１０（図１）の指袋１５と四本胴１７との繋ぎ目である指股部には目立った孔は認められなかった。これに対して、特許文献１の編成方法で編成した手袋１０の指股部には比較的大きな孔が形成されていた。指股部に大きな孔が形成されていない手袋は見栄えが良い。特に、指袋１５と四本胴１７との間の指股部は、手袋１０をはめて作業する際に外部から見え易い部分であるので、この部分に大きな孔が無いことは、手袋１０の見栄えを向上させることに大きく貢献する。また、作業時に孔から手袋１０内にゴミなどが入って、着用者に不快感を与えることも少ない。更に、手袋１０をコーティングする場合、指股部の位置からコーティング剤が手袋１０の内側に過剰に浸透することを抑制できる。その結果、コーティング不良の発生率を低減できる。
【００４１】
＜実施形態３＞
実施形態１，２で説明した筒状編地の編成方法は、選針機構を備え、異なる編針間で編目を移動させることができる汎用の横編機を用いて実施することもできる。本発明に係る筒状編地の編成方法では、編目の移動を行うことなく、第一筒部と第二筒部とを連結できるため、編目の移動に伴う編糸への負荷を低減できる。また、編目の移動のための横編機の動作、例えば針床のラッキングなどを省略できるので、筒状編地の生産性を向上させることができる。
【００４２】
その他、本発明の筒状編地の編成方法は、編幅方向に隣接する筒部を連結した箇所を有する筒状編地の編成に適用でき、手袋の編成に限定されるわけではない。例えば、セーターなどの複数の筒部を繋げて構成されるニットウェアや、指袋付き靴下の編成に、本発明の筒状編地の編成方法を適用できる。
【符号の説明】
【００４３】
１０  手袋（筒状編地）
１１，１２，１３，１４，１５  指袋
１６  三本胴  １７  四本胴  １８  五本胴
１  第一筒部
２  第二筒部
３  段差領域
４  一体筒部
【図１】
2020002487.tif 000003
【図２】
2020002487.tif 000004
【図３】
2020002487.tif 000005
【図４】
2020002487.tif 000006
【図５】
2020002487.tif 000007
【図６】
2020002487.tif 000008
【図７】
2020002487.tif 000009